(57)【要約】【課題】  インキの偽造が困難で、偽造抵抗力に優れ、印刷画像の色彩が淡い濃度に限定されず、反射光下と透過光下において相関のない画像にチェンジする印刷物を提案することを目的とする。【解決手段】  本発明は、光透過性を有する基材上に、基材と異なる色彩の印刷模様を備え、印刷模様は、有彩色の第一のインキにより形成された情報要素と、第一のインキより明度が低く、光透過性が高い第二のインキにより形成されたカモフラージュ要素と、第二のインキと同じ明度で、かつ、第二のインキより光透過性が低い第三のインキにより形成された透過画像要素が重ならないように複数配置されて成り、３つのインキの色相は等しく、反射光下において第二と第三のインキは等色、かつ、透過光下において第一と第二のインキは等色であり、情報要素により可視画像が形成され、透過画像要素により透過画像が形成された透過潜像印刷物である。【選択図】  図２
2015112797.tif 000002
【特許請求の範囲】
【請求項１】
光透過性を有する基材上の少なくとも一部に、前記基材と異なる色彩の印刷模様を備え、
前記印刷模様は、有彩色の第一のインキにより形成された情報要素と、前記第一のインキより明度が低く、光透過性が高い特性を有する第二のインキにより形成されたカモフラージュ要素と、前記第二のインキと同じ明度で、かつ、前記第二のインキより光透過性が低い特性を有する第三のインキにより形成された透過画像要素が各々重ならないように複数配置されて成り、
前記第一のインキ、前記第二のインキ及び前記第三のインキの色相は等しく、反射光下において前記第二のインキと前記第三のインキは等色、かつ、透過光下において前記第一のインキと前記第二のインキは等色であり、
複数の前記情報要素により可視画像が形成され、複数の前記透過画像要素により透過画像が形成され、
反射光下において、前記カモフラージュ要素と前記透過画像要素が等色に視認されることで色彩の違いにより前記可視画像が視認され、透過光下において、前記カモフラージュ要素と前記情報要素が等色に視認されることで色彩の違いにより前記透過画像が視認可能なことを特徴とする透過潜像印刷物。
【請求項２】
所定の範囲における単位面積当たりの面積率が、前記情報要素及び前記透過画像要素は、前記カモフラージュ要素よりも小さいことを特徴とする請求項１記載の透過潜像印刷物。
【請求項３】
前記情報要素及び前記透過画像要素は、前記カモフラージュ要素の要素内に毛抜き合わせで配置されていることを特徴とする請求項２記載の透過潜像印刷物。
【請求項４】
前記情報要素、前記透過画像要素及び前記カモフラージュ要素は、第１の方向に第１のピッチで規則的に配置された画線で形成されていることを特徴とする請求項３記載の透過潜像印刷物。
【請求項５】
前記情報要素、前記透過画像要素及び前記カモフラージュ要素は、第１の方向に第１のピッチ、かつ、前記第１の方向とは異なる第２の方向に第２のピッチで規則的に配置された画素で形成されていることを特徴とする請求項３記載の透過潜像印刷物。
【請求項６】
前記第一のインキ及び前記第三のインキは、二酸化チタンを含んでいることを特徴とする請求項１乃至５のいずれか１項記載の透過模様印刷物。
【請求項７】
前記第一のインキは、前記第二のインキ及び前記第三のインキよりも彩度が高いことを特徴とする請求項１乃至６のいずれか１項記載の透過模様印刷物。
【請求項８】
前記透過画像は、前記カモフラージュ画像内に面積率の差によって形成されたことを特徴とする請求項１乃至７のいずれか１項記載の透過模様印刷物。
【発明の詳細な説明】
【技術分野】
【０００１】
本発明は、偽造防止効果を必要とするセキュリティ印刷物である銀行券、パスポート、有価証券、身分証明書、カード、通行券等の貴重印刷物の分野において、反射光下と透過光下で画像が変化する透過潜像印刷物に関わるものである。
【背景技術】
【０００２】
近年のスキャナ、プリンター、カラーコピー機等のデジタル機器の進展により、貴重印刷物の精巧な複製物を容易に作製することが可能となっている。そのため、前述したような複製や偽造を防止するため、プリンターやコピー機では再現不可能な様々な偽造防止技術が必要とされている。
【０００３】
この偽造防止技術の一つとして、繊維の粗密や用紙の薄厚によって模様を形成して透過光下で視認させる、いわゆる透かし技術が存在する。この透かし技術は、一定量以上の光さえ存在すれば、あらゆる環境下で真偽判別が可能な技術であり、また、知名度も抜群に高いことから、古くから存在する古典的な技術であるにも関わらず、今なお世界中の銀行券で用いられている。
【０００４】
透かし技術は、用紙の製造段階で形成する必要があることから、用紙メーカでなければ製造不可能であり、加えて用紙メーカが製造した場合でも製造コストが高くなるという問題があることから、これを擬似的に再現する方法として、印刷工程で特殊な浸透型インキを用いて、この透かしに相当する透過画像を印刷で形成する偽造防止技術が存在する（例えば、特許文献１参照）。
【０００５】
しかしながら、浸透型インキを用いて透過光下で透かしのような透過画像を認証する透かし印刷を用いた偽造防止技術に関しては、浸透型インキ自体が多くのメーカから市販されており、一般人であっても容易に入手可能であることから、偽造者にとっても作製が容易であるという問題があった。
【０００６】
このような問題を解決するために、本出願人はすでに、反射光下では等色に観察されるが、透過率が異なる二つのインキをペアインキとして用いて印刷画像を形成する技術であって、反射光下と透過光とで観察される画像が変化する、真偽判別性と偽造防止効果に優れた透過潜像印刷物を出願している（例えば、特許文献２、特許文献３参照）。
【０００７】
また、本出願人は、浸透型インキに着色顔料を混合した有色浸透インキと、この有色浸透インキと等色のインキをペアとして、特殊で複雑な網点構成によって画像を形成する印刷物であって、反射光下で観察できる画像と透過光下で観察できる画像とが全く相関のない異なる画像であることを特徴とする透過潜像印刷物をすでに出願している（例えば、特許文献４参照）。
【先行技術文献】
【特許文献】
【０００８】
【特許文献１】特開平６−２２８９００号公報
【特許文献２】特開２０１１−３７２３４号公報
【特許文献３】特開２０１１−１４３６６９号公報
【特許文献４】特開２０１２−２２３９０５号公報
【発明の概要】
【発明が解決しようとする課題】
【０００９】
特許文献２から特許文献４に記載の技術はいずれも反射光下で等色であって、透過光下で異色に見える等色ペアインキを用いて形成する技術である。このような特徴を有するペアインキは、一方のインキに浸透成分を有するワニスを用い、もう一方のインキに通常型のワニスを用い、それぞれのワニスに同じ着色顔料を同じ分量配合すれば、この後、微量の着色顔料を添加して色彩を微調整するだけで作製できてしまうことから、特殊インキの作製に関わる者にとっては偽造が比較的容易であるという問題があった。
【００１０】
特許文献２から特許文献４に記載の技術は、いずれも極めて淡い濃度の等色ペアインキを用いて形成する必要があり、潜像印刷物の色彩はモノトーン調に制限されるために色彩表現に乏しいという問題があった。加えて、このペアインキの色彩は極端に淡い色濃度である必要があるため、反射光下で視認される可視画像の視認性が低いという問題があった。
【００１１】
本発明は、前述した課題の解決を目的とし、インキの偽造が困難であって偽造抵抗力に優れ、印刷画像の色彩が極めて淡い濃度に制限されることがなく、反射光下で濃い色濃度で構成された視認性の高い可視画像が、透過光下で全く別の潜像画像へとチェンジすることを特徴とする真偽判別と偽造防止効果に優れた透過潜像印刷物に関わる。
【課題を解決するための手段】
【００１２】
本発明における透過潜像印刷物は、光透過性を有する基材上の少なくとも一部に、基材と異なる色彩の印刷模様を備え、印刷模様は、有彩色の第一のインキにより形成された情報要素と、第一のインキより明度が低く、光透過性が高い特性を有する第二のインキにより形成されたカモフラージュ要素と、第二のインキと同じ明度で、かつ、第二のインキより光透過性が低い特性を有する第三のインキにより形成された透過画像要素が各々重ならないように複数配置されて成り、第一のインキ、第二のインキ及び第三のインキの色相は等しく、反射光下において第二のインキと第三のインキは等色、かつ、透過光下において第一のインキと第二のインキは等色であり、複数の情報要素により可視画像が形成され、複数の透過画像要素により透過画像が形成され、反射光下において、カモフラージュ要素と透過画像要素が等色に視認されることで色彩の違いにより可視画像が視認され、透過光下において、カモフラージュ要素と情報要素が等色に視認されることで色彩の違いにより透過画像が視認可能なことを特徴とする透過潜像印刷物である。
【００１３】
また、本発明の透過潜像印刷物は、所定の範囲における単位面積当たりの面積率が、情報要素及び透過画像要素がカモフラージュ要素よりも小さいことを特徴とする。
【００１４】
また、本発明の透過潜像印刷物における情報要素及び透過画像要素は、カモフラージュ要素の要素内に毛抜き合わせで配置されていることを特徴とする。
【００１５】
また、本発明の透過潜像印刷物における情報要素、透過画像要素及びカモフラージュ要素は、第１の方向に第１のピッチで規則的に配置された画線で形成されていることを特徴とする。
【００１６】
また、本発明の透過潜像印刷物における情報要素、透過画像要素及びカモフラージュ要素は、第１の方向に第１のピッチ、かつ、第１の方向とは異なる第２の方向に第２のピッチで規則的に配置された画素で形成されていることを特徴とする。
【００１７】
また、本発明の透過潜像印刷物における第一のインキ及び第三のインキは、二酸化チタンを含んでいることを特徴とする。
【００１８】
また、本発明の透過潜像印刷物における第一のインキは、第二のインキ及び第三のインキよりも彩度が高いことを特徴とする。
【００１９】
さらに、本発明の透過潜像印刷物における透過画像は、カモフラージュ画像内に面積率の差によって形成されたことを特徴とする。
【発明の効果】
【００２０】
本発明の透過潜像印刷物は、反射光下で第二のインキと第三のインキが等色であり、透過光下では第一のインキと第二のインキが等色に変化する三つのインキから成る。このインキは、従来のような反射光下で等色であって、透過光下で異色に変化するペアインキのように、同じ顔料を同じ量配合するだけでは作製不可能であり、作製にはより専門的な知識が必要となる。このため、従来のペアインキを用いて形成する潜像印刷物と比較すると、作製が困難であって、偽造抵抗力が高い。
【００２１】
本発明の透過潜像印刷物の印刷模様は、従来の技術の印刷模様と異なり、印刷模様が二種類の異なる色彩によって形成される。このため、印刷模様の色彩は従来技術のようにモノトーン調に制限されず、複数の異なる色彩で構成することができ、従来の技術と比較して格段に色彩豊かな表現が可能となる。また、また色濃度も極端に淡い必要もないため、視認性の高い印刷模様を構成することができる。加えて、ペアインキは、一般的な着色インキと遜色ない反射濃度を有するため、セキュリティ印刷物中において本発明の印刷画像が付与された以外の印刷領域にもそれぞれ流用することができる。
【００２２】
以上の手法で形成した透過潜像印刷物は、生産性の高い印刷方式であるオフセット印刷で製造可能であることからコストパフォーマンスに優れ、また最新のデジタル機器を用いたとしても透過画像の再現は不可能であることから、偽造防止効果に優れる。さらに、特別な道具を用いることがなく透かすだけで認証できるため、判別性に優れる。
【図面の簡単な説明】
【００２３】
【図１】本発明における第一の実施形態の透過潜像印刷物を示す。
【図２】第一の実施形態における透過潜像印刷物の構成の概要の一例を示す。
【図３】第一の実施形態おける透過潜像印刷物の印刷模様の具体的な構成を示す。
【図４】第一の実施形態における透過潜像印刷物の反転可視画像の具体的な構成を示す。
【図５】第一の実施形態における透過潜像印刷物のカモフラージュ画像の具体的な構成を示す。
【図６】第一の実施の形態における透過潜像印刷物の視認状態を示す。
【図７】本発明における第二の実施形態の透過潜像印刷物を示す。
【図８】第二の実施形態における透過潜像印刷物の構成の概要の一例を示す。
【図９】第二の実施形態における透過潜像印刷物の印刷模様の具体的な構成を示す。
【図１０】第二の実施形態における透過潜像印刷物の反転可視画像の具体的な構成を示す。
【図１１】第二の実施形態における透過潜像印刷物のカモフラージュ画像の具体的な構成を示す。
【図１２】第二の実施形態の別の態様を示す。
【図１３】本発明の第二の実施の形態における透過潜像印刷物の視認状態を示す。
【図１４】本発明の実施例における透過潜像印刷物を示す。
【図１５】実施例の透過潜像印刷物の構成の概要の一例を示す。
【図１６】実施例の透過潜像印刷物の印刷模様の具体的な構成を示す。
【図１７】実施例の透過潜像印刷物の反転可視画像の具体的な構成を示す。
【図１８】実施例の透過潜像印刷物のカモフラージュ画像の具体的な構成を示す。
【図１９】本発明の実施例における透過潜像印刷物の視認状態を示す。
【発明を実施するための形態】
【００２４】
本発明を実施するための形態について、図面を参照して説明する。しかしながら、本発明は、以下に述べる実施するための形態に限定されるものではなく、特許請求の範囲記載における技術的思想の範囲内であれば、その他のいろいろな実施の形態が含まれる。
【００２５】
（第一の実施の形態）
図１に、本発明における透過潜像印刷物（１）を示す。透過潜像印刷物（１）は、基材（２）の上に、基材（２）と異なる複数の色彩を有する印刷模様（３）が形成されて成る。
【００２６】
本発明における透過潜像印刷物（１）を構成する基材（２）は、上質紙やコート紙、透明フィルムやプラスティックのように、光を透過する特性、いわゆる光透過性を有する必要がある。不透明なプラスティックや金属では透過光下での効果は得られない。基材（２）の色彩については特に制約はない。また、印刷模様（３）を構成する複数の色彩は基材（２）と異なる有彩色であれば、如何なる色彩であっても良い。
【００２７】
印刷模様（３）は、それぞれ異なる特性の三つのインキによって構成される。この三つのインキとは、第一のインキ、第二のインキ及び第三のインキである。第一のインキ、第二のインキ及び第三のインキはいずれも有彩色であって、反射光下において、インキの色相は同じあり、さらに第二のインキと第三のインキは色彩も同じであって、第一のインキは、他の二つのインキと比較して明度及び彩度が高く、かつ、異なる色彩を有する。また、三つのインキの光透過性が異なるが、具体的な光学特性については後述する。
【００２８】
図２に印刷模様（３）の構成の概要を示す。印刷模様（３）は、可視画像（４）と、それと対を成す反転可視画像（５）を有する。可視画像（４）と反転可視画像（５）は同じ第一の有意情報を表すが、情報の濃淡が反転した関係にある。第一の実施の形態における第一の有意情報とはアルファベットの「Ａ」の文字である。また、反転可視画像（５）は、第二の有意情報を表す透過画像（６）とカモフラージュ画像（７）から成る。カモフラージュ画像（７）は可視カモフラージュ画像（７−１）及び透過カモフラージュ画像（７−２）から成る。
【００２９】
図３に可視画像（４）と反転画視画像（５）の一部の拡大図を示す。可視画像（４）は、第一のインキから成る特定の画線幅（Ｗ１）の情報要素（４Ａ）が、第一の方向（図中Ｓ１方向）に第一のピッチ（Ｐ１）で連続して配置されることで構成されて成る。また、一方の反転可視画像（５）は、第二のインキ及び第三のインキから成る特定の画線幅（Ｗ２）の反転可視画像要素（５Ａ）が、第一の方向（図中Ｓ１方向）に第一のピッチ（Ｐ１）で連続して配置されることで構成されて成る。
【００３０】
続いて、図４に反転可視画像（５）の具体的な構成について示す。反転可視画像（５）は、透過画像（６）及びカモフラージュ画像（７）から成る。透過画像（６）は、第三のインキから成る特定の画線幅（Ｗ３）の透過画像要素（６Ａ）が、第一の方向（図中Ｓ１方向）に第一のピッチ（Ｐ１）で連続して配置されることで構成されて成る。透過画像（６）は、第一の有意情報とは異なる第二の有意情報を表す。第一の実施の形態における第二の有意情報はアルファベットの「Ｂ」の文字である。また、一方のカモフラージュ画像（７）は、第二のインキから成る特定の画線幅（Ｗ２）のカモフラージュ要素（７Ａ）が、第一の方向(図中Ｓ１方向)に第一のピッチ（Ｐ１）で連続して配置されることで構成されて成る。
【００３１】
最後に、図５にカモフラージュ画像（７）の具体的な構成について示す。カモフラージュ画像（７）は、可視カモフラージュ画像（７−１）と透過カモフラージュ画像（７−２）から成る。可視カモフラージュ画像（７−１）は、可視画像（４）と同じ第一の有意情報を表すが、可視画像（４）とは情報の濃淡が反転した関係にある。また、一方の透過カモフラージュ画像（７−２）は、透過画像（６）と同じ第二の有意情報を表すが、透過画像（６）とは情報の濃淡が反転した関係にある。
【００３２】
可視カモフラージュ画像（７−１）は、第二のインキから成る特定の画線幅（Ｗ４）の可視カモフラージュ画像要素（７Ａ−１）が、第一の方向（図中Ｓ１方向）に第一のピッチ（Ｐ１）で連続して配置されることで構成されて成る。一方の透過カモフラージュ画像（７−２）は、第二のインキから成る特定の画線幅（Ｗ５）の透過カモフラージュ画像要素（７Ａ−２）が、第一の方向（図中Ｓ１方向）に第一のピッチ（Ｐ１）で連続して配置されることで構成されて成る。この第一の実施の形態で説明する例においては、可視カモフラージュ画像（７−１）の中には、それぞれ対を成す情報要素（４Ａ）と同じ大きさの空白を有し、印刷模様（３）を構成するにあたって、それぞれの情報要素（４Ａ）が対を成す可視カモフラージュ画像要素（７Ａ−１）の空白の中に嵌め合わさる構造を有する。所謂、毛抜き合わせの状態で情報要素（４Ａ）とカモフラージュ画像要素（７Ａ）を構成している可視カモフラージュ画像要素（７Ａ−１）は配置されている。
【００３３】
また、一方の透過カモフラージュ画像要素（７Ａ−２）の中にも、それぞれ対を成す透過画像要素（６Ａ）と同じ大きさの空白を有し、印刷模様（３）を構成するにあたって、それぞれの透過画像要素（６Ａ）が対を成す透過カモフラージュ画像要素（７Ａ−２）の空白の中に嵌め合わさる構造を有する。以上が本発明の潜像画像印刷物（１）の構成の概要である。
【００３４】
これらの画像のうち、可視画像（４）は第一のインキで形成され、カモフラージュ画像（７）は第二のインキで形成され、透過画像（６）は第三のインキで形成される。ここで、第一のインキは、他の二つのインキと比較して明度が高い、すなわち淡い色彩を有するため、印刷模様（３）が反射光下で表す第一の有意情報であるアルファベットの「Ａ」の文字は、文字の部分が淡く、その周りが濃い状態となる。また、反射光下では第二のインキと第三のインキの色彩は等しいため、反射光下では第二のインキと第三のインキは目視上区分けできない。
【００３５】
この第一の実施の形態で説明する印刷模様（３）においては、可視カモフラージュ画像要素（７Ａ−１）の画線幅（Ｗ４）は、情報要素（４Ａ）の画線幅（Ｗ１）以上である必要がある。これは、可視カモフラージュ画像要素（７Ａ−１）の画線幅（Ｗ４）が、情報要素（４Ａ）の画線幅（Ｗ１）より小さい場合、透過光下で情報要素（４Ａ）を可視カモフラージュ画像要素（７Ａ−１）で隠蔽することが不可能となり、本発明の特徴である画像のチェンジ効果が損なわれるためである。
【００３６】
また、同様に透過カモフラージュ画像要素（７Ａ−２）の画線幅（Ｗ５）は、透過画像要素（６Ａ）の画線幅（Ｗ３）以上である必要がある。これは、透過カモフラージュ画像要素（７Ａ−２）の画線幅（Ｗ５）が、透過画像要素（６Ａ）の画線幅（Ｗ３）より小さい場合、反射光下で透過画像要素（６Ａ）を透過カモフラージュ画像要素（７Ａ−２）で隠蔽することが不可能となり、本発明の特徴である画像のチェンジ効果が損なわれるためである。
【００３７】
第一の実施の形態では、情報要素（４Ａ）及び透過画像要素（６Ａ）は、各カモフラージュ要素（７Ａ-１、７Ａ-２）の空白に嵌め合わせる配置、所謂毛抜き合わせの状態としたが、必ず毛抜き合わせの配置としなければならないことではなく、前述の画線幅の関係を含め、所定の範囲内において、情報要素（４Ａ）の単位面積当たりの面積率よりも、可視カモフラージュ画像要素（７Ａ−１）の単位面積当たりの面積率が大きく、透過画像要素（６Ａ）の単位面積当たりの面積率よりも、透過カモフラージュ画像要素（７Ａ−２）の単位面積当たりの面積率が大きければ、隣接又は近接の位置にそれぞれの要素を配置しても良い。
【００３８】
第一の実施の形態では、情報要素（６）、背景要素（７Ａ）及び潜像要素（７Ｂ）のいずれも画線で構成したが、それぞれの要素は画線に限定されるものではなく、画素で形成しても良く、さらには画線と画素の組合せで構成しても良い。なお、第二の実施の形態ではそれぞれの要素が画素で構成される例について説明する。
【００３９】
情報要素（４Ａ）や透過画像要素（６Ｂ）の画線幅（Ｗ１，Ｗ３）、及び二つのカモフラージュ要素の画線幅（Ｗ４、Ｗ５）等の最適値は、用いる第一のインキ、第二のインキ及び第三のインキの色彩や光透過性によって変化する。例えば、Ｗ１を大きくすれば反射光下での第一の有意情報の視認性は高まり、Ｗ３を大きくすれば第二の透過光下での第二の有意情報の視認性は高まるが、当然のことながら限られた面積の中に複数の要素を配さなければならない関係上、Ｗ１が大きくなればＷ３を小さく設計する必要があり、Ｗ３が大きくなればＷ１を小さく設計する必要もある。基本的には三つのインキの性能が充分であれば、Ｗ１とＷ３は同程度の幅を基本として考え、ユーザや設計者が優先する画像の視認性に応じて、それぞれの要素の幅等を調整すれば良い。
【００４０】
また、ピッチＰ１の値に関して、技術的な制約はないが、Ａ４程度の大きさの印刷物中に本印刷模様（３）を付与することを想定した場合、ピッチＰ１は０．０１ｍｍ以上５ｍｍ以下とすることが望ましい。０．０１ｍｍ以下のピッチで各画像を構成すると、印刷再現性が低下し、また過度に高い刷り合わせ精度を要求されるために好ましくなく、また、５ｍｍ以上のピッチで各画像を構成すると、表現できる画像が極めて解像度の低い画像に制限されるために好ましくないことがその理由である。
【００４１】
以下に本発明の潜像画像印刷物（１）を構成する三つのインキの光学特性について具体的に説明する。印刷模様（３）を構成する三つのインキのうち、第二のインキと第三のインキは反射光下で同じ色彩である必要があり、第一のインキと第二のインキは透過光下で同じ色彩である必要がある。すなわち、反射光下と透過光下でぞれぞれのインキの色彩の関係が変化する必要があり、結果として反射光下と透過光下でそれぞれのインキの色彩が変化する必要がある。
【００４２】
このような特性を充たすために、三つのインキの色彩を調整する必要があることはもちろんのこと、光透過性を制御する必要がある。三つのインキのうち、第一のインキと第三のインキは光透過性が低い必要があり、第二のインキの光透過性は高い必要がある。この特性を有さなければ本発明における三つのインキの反射光下と透過光下における色彩の関係を充たすことはできない。なお、本明細書で言う光透過性が高い、低いとは、三つのインキのうち、他のインキと比較して相対的に高かったり、低かったりすれば良い。明度や彩度に関しても同様である。
【００４３】
反射光下で特定の色彩を有する、光透過性の高いインキを透過光下で観察した場合、反射光下で視認されていた色彩よりも明度が上昇し、明るい色彩に変化する。一方、光透過性の低いインキを透過光下で観察した場合、反射光下で視認されていた色彩よりも明度が低下し、暗い色彩に変化する。本発明では、この光透過性の違いによって生じる透過光下の色彩の変化を利用して、三つのインキの色彩の関係を制御している。すなわち、反射光下では明度が高い第一のインキは、透過光下では光透過性が低いために暗い色彩に変化する。また、元々明度が低かった第二のインキは、光透過性が高いために透過光下では明るい色彩に変化し、同じく元々明度が低かった第三のインキは光透過性が低いために、より暗い色彩に変化する。
【００４４】
ここで、反射光下における第一のインキの色彩と第二のインキの色彩がそれぞれ適切な明度を有していれば、暗い色彩に変化した第一のインキと明るい色彩に変化した第二のインキは等しい色彩にすることが可能である。また、反射光下で等色関係にあった第二のインキと第三のインキは、その光透過性の違いから、透過光下では第二のインキは明るい色彩に、第三のインキはより暗い色彩へと変化して非等色の関係になる。以上のように、三つのインキの色彩と光透過性を制御することで、反射光下では三つのインキのうち、第二のインキと第三のインキが等色であって、透過光下では三つのインキのうち第一のインキと第二のインキが等色になる関係とすることができる。
【００４５】
なお、本明細書中でいう明度とは、色の明るさを指し、高い場合には明るく、低い場合には暗い。また、彩度とは、色の鮮やかさの度合いを指す。加えて、本発明における「色彩」とは、色相、彩度及び明度の概念を含んで色を表したものであり、また、「色相」とは、赤、青、黄といった色の様相のことであり、具体的には、可視光領域（４００〜７００ｎｍ）の特定の波長の強弱の分布を示すものである。また、本発明における「色相が同じ」とは、二つの色において赤、青、黄といった色の様相が一致し、可視光領域の波長の強弱の分布が二つの色において相関を有することである。
【００４６】
「第一のインキの明度が高く、第二のインキ及び第三のインキの明度は低い」条件とは前述の通り、相対的な関係を満たすことが絶対条件であるが、その具体的な数値の差異としては第一のインキと、第二のインキ及び第三のインキのＬ＊ａ＊ｂ＊表色系の明度Ｌ＊の値はその明度差ΔＬ＝５以上異なっている必要があり、さらに１０以上異なっていることがより好ましい。
【００４７】
また、第一のインキと、第二のインキ及び第三のインキの色彩は、観察者が特に注意を払うことなく一瞥しただけで、二つの領域が同じ色彩ではなく、異なる色彩であると感じる程度に色彩が異なっている必要がある。具体的にはＬ＊ａ＊ｂ＊表色系における色差ΔＥが６以上異なる必要があり、さらに色差ΔＥが１２以上離れていることがより好ましい。
【００４８】
また、第一のインキと第三のインキは光透過性が低い必要がある。これは、本発明の透過光下での効果を生じさせるために必須となる特性である。この特性を容易に満足させるためには、第一のインキと第三のインキに高い光遮断性を付与すれば良い。具体的には、二酸化チタンや酸化鉄、酸化亜鉛等のような光反射性の高い金属顔料を含んだインキを用たり、二酸化ケイ素や炭酸カルシウム等を含んだインキを用いることもできる。あるいは、特殊な金属顔料を含まない一般的なインキを用いて、厚い膜厚で印刷することで高い光遮断性を実現しても良い。
【００４９】
一方、第二のインキは、他の二つのインキより光透過性が高ければ良いため、一般的な着色顔料や着色染料を用いても良い。効果をより強調したい場合には、前述した従来技術同様に、透かしインキ（浸透型インキ）に着色染料や着色顔料を混合したインキを用いても問題ない。このようなインキを、以下、「有色浸透インキ」と呼ぶが、このインキについては、後述する。
【００５０】
以上のように、二つのインキの色彩設計が適切であった場合、例えば、第二のインキを酸化チタン含有のインキとし、第二のインキを通常の着色インキとした場合、二つのインキの間に反射光下の色差ΔＥに１０前後の差があった場合でも、透過光下において、この差異をほぼゼロすることができる。加えて、例えば、第一のインキに後述する有色浸透インキを用いた場合には、反射光下の色差ΔＥに２０前後の差があった場合でも、透過光下において、この差異をほぼゼロすることができる。
【００５１】
加えて、透過光下では明度だけでなく、彩度も変化する。透過光下では第二のインキで形成されたカモフラージュ画像（７）の彩度は相対的に上昇する一方で、第一のインキで形成された可視画像（４）及び第三のインキで形成された透過画像（６）の彩度は減少する。このため、反射光下におけるカモフラージュ画像（７）の彩度を低く、可視画像（４）及び透過画像（６）の彩度を高く設計しておけば、それぞれの色彩の関係を充たしやすい。混じりけのない純粋な色は彩度が高く、白や灰色、黒等の無彩色に近い色ほど値がゼロに近い。それぞれの画像（４、６、７）の明度だけでなく、彩度も大きく異なる場合には色彩表現もより豊かになるため、印刷画像の見栄えが良くなり、より好ましい。また、明度が異なる色彩は、同じインキを用いて面積率の違いによってある程度は表現できるが、大きく彩度が異なる色彩は同じインキを用いて単純な面積率の違いだけで表現することは困難であるため、より再現することが難しく、偽造抵抗力にもより優れる形態となる。
【００５２】
以上の構成で形成した透過潜像印刷物（１）の効果を図６に説明する。図６（ａ）に示すように、透過潜像印刷物（１）を反射光下で観察した場合、第二のインキで形成されたカモフラージュ画像（７）と第三のインキで形成された透過画像（６）は等色であるために、透過画像（６）はカモフラージュ画像（７）の中に隠蔽され不可視である。一方の第一のインキで形成された可視画像（４）は、第二のインキで形成されたカモフラージュ画像（７）と第三のインキで形成された透過画像（６）よりも明るい色彩を有するため、画像を構成するインキの色彩の違いによって、可視画像（４）が表す第一の有意情報であるアルファベットの「Ａ」の文字が視認できる。この場合、アルファベットの「Ａ」の文字は第一のインキの色彩である淡い色彩で、その他の周辺の領域は第二のインキ及び第三のインキの色彩である濃い色彩で視認される。
【００５３】
また、図６（ｂ）に示すように、透過潜像印刷物（１）を透過光下で観察した場合、第一のインキで形成された可視画像（４）と第二のインキで形成されたカモフラージュ画像（７）が等色に視認されるため、第一の有意情報は不可視となり、代わっていずれのインキとも非等色として視認された第三のインキで形成された透過画像（６）が表す第二の有意情報が視認される。この場合、アルファベットの「Ｂ」の文字は、第三のインキの透過光下の色彩である暗い色彩で、その他の周辺の領域は、第一のインキ及び第二のインキの透過光下の色彩である明るい色彩で視認される。
【００５４】
以上のように本発明の透過潜像印刷物（１）は、印刷模様（３）の表す情報が反射光下では第一の有意情報であり、透過光下では第二の有意情報であることを特徴とする。
【００５５】
なお、本発明における「反射光下での観察」とは、観察者の視点が、正反射光がほとんど存在しない領域中にあって透過潜像印刷物（１）を可視光下で観察している状況を示しており、本発明における「透過光下での観察」とは、観察者の視点が、透過光下の領域中にあって透過潜像印刷物（１）を観察している状況を示している。
【００５６】
以下に、第二のインキに用いることが可能な機能性インキとして、最も効果が高い、「有色浸透インキ」について説明する。有色浸透インキとは、印刷した画像が透過光下で透けて見える（非印刷部よりも明るく観察される）効果を有する浸透成分を含む浸透型インキに、色材を混合することで形成したインキである。
【００５７】
有色浸透インキとは、基材に印刷した場合に、反射光下では、はっきりと視認できる色彩を有した画像を形成できる一方、透過光下では、その画像を極端に淡く変化させる効果を有する。言い換えると、通常の着色インキと比較して、「透かすと画像がより淡く見える」効果を有したインキである。有色浸透インキは、浸透成分と色材とを含んで構成され、浸透成分が基材内部の光の散乱を抑制することで生じさせる透過率の上昇によって、画像が淡く見える効果を実現している。
【００５８】
浸透成分が透かしインキとして一般に販売されているインキに相当する程度の性能を備えていれば、一定量の色材を混合して「透かすと画像が淡く見える」効果を有する有色浸透インキとすることは可能である。有色浸透インキに混合する色材は、着色顔料や着色染料として販売されている印刷色材を用いれば良い。印刷物として市場に流通させることを目的とすると、長期にわたる堅牢性が得られやすい着色顔料を用いることが望ましい。
【００５９】
なお、本発明における浸透成分とは、印刷時に用紙内部へと浸透して印刷領域の透過率を上昇させる働きを成す成分のことを指し、具体的には、セルロースの屈折率（１．４９）に近い樹脂やワックス、動植物油等を指す。これらの成分は、印刷した場合に用紙の中に存在するセルロース繊維間の空隙を埋め、主として用紙内部における光の散乱を抑制することで光の透過率を上げる働きを成す。
【００６０】
また、本発明における「浸透型インキ」とは、前述した浸透成分を含み、一般に透かしインキとして販売されているインキを指す。このようなインキとしては、「Ｔ＆Ｋ  ＴＯＫＡ製ベストワン透かしインキ」、「帝国インキ製ユニマーク」、「東洋インキ製ＳＭＸすかしインキ」、「合同インキ製Ｅ２ニス」等が存在する。本発明の有色浸透インキは、これらのインキを用いても作製可能である。
【００６１】
第一のインキ及び第三のインキに光遮断性の高い金属顔料を用い、第二のインキに有色浸透インキを用いた場合、第二のインキで形成されるカモフラージュ画像（７）の光透過性はより高く、第一のインキ及び第三のインキで形成される可視画像（４）及び透過画像（６）の光透過性はより低くなるため、反射光下におけるそれぞれのインキの明度や彩度の違いを大きくすることができる。すなわち、第二のインキ及び第三のインキの明度や彩度はより低く、第一のインキの明度や彩度はより高くすることで、第一のインキと、他の二つのインキの色差を大きくすることができる。この場合、反射光下における可視画像（４）と反転可視画像（５）との異色性が最も高まり、反射光下と透過光下での色彩の変化の割合も大きくなることから、反射光下での第一の有意情報の視認性を上げたい場合には望ましい構成である。
【００６２】
また、第一のインキ、第二のインキ及び第三のインキに脱刷や印刷不良等の発生の有無を見極めることを目的又は真偽判別性の向上を目的として、蛍光顔料や蛍光染料、燐光顔料、蓄光顔料等の発光顔料や発光染料、赤外線吸収材料や赤外反射材料等の機能性材料を添加しても何ら問題ない。
【００６３】
本発明の透過潜像印刷物（１）の印刷方式は、オフセット印刷で十分な効果を発揮するが、製造者のシーズに応じてフレキソ印刷やグラビア印刷、凹版印刷やスクリーン印刷等で形成しても良い。
【００６４】
第一の実施の形態では、それぞれの要素を画線で構成したが、画素で形成しても良い。以下に第二の実施の形態としてその具体的な方法を示す。
【００６５】
’
（第二の実施の形態）
図７に、本発明における透過潜像印刷物（１’）を示す。透過潜像印刷物（１’）は、基材（２’）の上に、基材（２’）と異なる複数の色彩を有する印刷模様（３’）が形成されて成る。基材（２’）に求められる特性については第一の実施の形態と同様であることから省略する。
【００６６】
図８に印刷模様（３’）の構成の概要を示す。第二の実施の形態において印刷模様（３’）は画素によって構成されて成る。可視画像（４’）と、それと対を成す反転可視画像（５’）を有する。可視画像（４’）と反転可視画像（５’）は同じ第一の有意情報を表すが、情報の濃淡が反転した関係にある。第二の実施の形態における第一の有意情報とはアルファベットの「Ａ」の文字である。また、反転可視画像（５’）は、第二の有意情報を表す透過画像（６’）とカモフラージュ画像（７’）を有する。カモフラージュ画像（７’）は可視カモフラージュ画像（７−１’）及び透過カモフラージュ画像（７−２’）を有する。
【００６７】
図９に可視画像（４’）と反転画視画像（５’）の一部の拡大図を示す。可視画像（４’）は、第一のインキから成る特定の長さ（Ｌ１）と高さ（Ｈ１）を有した画素状の情報要素（４Ａ’）が、第一の方向（図中Ｓ１方向）に第一のピッチ（Ｐ１）で、第二の方向（図中Ｓ２方向）に第二のピッチ（Ｐ２）で連続して配置されることで構成されて成る。
【００６８】
続いて、図１０に反転可視画像（５’）の具体的な構成について示す。反転可視画像（５’）は、透過画像（６’）及びカモフラージュ画像（７’）から成る。透過画像（６’）は、第三のインキから成る特定の長さ（Ｌ２）及び高さ（Ｈ２）の透過画像要素（６Ａ’）が、第一の方向（図中Ｓ１方向）に第一のピッチ（Ｐ１）で、第二の方向（図中Ｓ２方向）に第二のピッチ（Ｐ２）で連続して配置されることで構成されて成る。透過画像（６’）は、第一の有意情報とは異なる第二の有意情報を表す。第二の実施の形態における第二の有意情報はアルファベットの「Ｂ」の文字である。
【００６９】
最後に、図１１にカモフラージュ画像（７’）の具体的な構成について示す。カモフラージュ画像（７’）は、可視カモフラージュ画像（７−１’）と透過カモフラージュ画像（７−２’）から成る。可視カモフラージュ画像（７−１’）は、第二のインキから成る特定の長さ（Ｌ３）及び高さ（Ｈ３）の可視カモフラージュ画像要素（７Ａ−１’）が、第一の方向(図中Ｓ１方向)に第一のピッチ（Ｐ１）で、第二の方向（図中Ｓ２方向）に第二のピッチ（Ｐ２）で連続して配置されることで構成されて成る。一方の透過カモフラージュ画像（７−２）は、第二のインキから成る特定の長さ（Ｌ４）及び高さ（Ｈ４）の透過カモフラージュ画像要素（７Ａ−２’）が、第一の方向（図中Ｓ１方向）に第一のピッチ（Ｐ１）で、第二の方向（図中Ｓ２方向）に第二のピッチ（Ｐ２）で連続して配置されることで構成されて成る。
【００７０】
第一の実施の形態では可視カモフラージュ画像（７−１）の中には、それぞれ対を成す情報要素（４Ａ）と同じ大きさの空白を有し、印刷模様（３）を構成するにあたっては、それぞれの情報要素（４Ａ）が対を成す可視カモフラージュ画像要素（７Ａ−１）の空白の中に嵌め合わさる構造を有していたが、第二の実施の形態では、異なる場所にそれぞれの要素が配置されて成る。すなわち、本発明の透過潜像印刷物（１’）を構成するにあたっては、それぞれの要素は、お互いに重なり合うことがない位置に配置されれば良く、第一の形態で説明した配置のように、要素の空白の中に嵌めあわせで要素が配置される形態でも、第二の実施の形態で説明した配置のように、それぞれの要素が異なる場所に配置される形態でも、いずれの配置の形態を用いても良い。以上が本発明の潜像画像印刷物（１’）の構成の概要である。
【００７１】
なお、図１２は、第二の実施の形態において、各要素を画素で形成した場合においても、第一の実施の形態同様、情報要素（４Ａ’）と透過画像要素（６Ａ’）が、可視カモフラージュ画像要素（７Ａ−１’）及び透過カモフラージュ画像要素（７Ａ−２’）の空白の中に嵌め合わさる構造を示した図である。情報要素（４Ａ’）と透過画像要素（６Ａ’）が可視カモフラージュ画像要素（７Ａ−１’）と透過カモフラージュ画像要素（７Ａ−２’）に毛抜き合わせで配置されている。このような構成でも前述のとおり問題はない。
【００７２】
これらの画像のうち、可視画像（４’）は第一のインキで形成され、カモフラージュ画像（７’）は第二のインキで形成され、透過画像（６’）は第三のインキで形成される。それぞれのインキに要求される特性は第一の実施の形態と同じであることから、ここでは説明を省略する。
【００７３】
以上の構成で形成した透過潜像印刷物（１’）の効果を図１３に説明する。図１３（ａ）に示すように、透過潜像印刷物（１’）を反射光下で観察した場合、第二のインキで形成されたカモフラージュ画像（７’）と第三のインキで形成された透過画像（６’）は等色であるために、透過画像（６’）はカモフラージュ画像（７’）の中に隠蔽され不可視である。一方の第一のインキで形成された可視画像（４’）は、第二のインキで形成されたカモフラージュ画像（７’）と第三のインキで形成された透過画像（６’）よりも明るい色彩を有するため、画像を構成するインキの色彩の違いによって、可視画像（４’）が表す第一の有意情報であるアルファベットの「Ａ」の文字が視認できる。この場合、アルファベットの「Ａ」の文字は、第一のインキの色彩である淡い色彩で、その他の周辺の領域は、第二のインキ及び第三のインキの色彩である濃い色彩で視認される。
【００７４】
また、図１３（ｂ）に示すように、透過潜像印刷物（１’）を透過光下で観察した場合、第一のインキで形成された可視画像（４’）と第二のインキで形成されたカモフラージュ画像（７’）が等色に視認されるため、第一の有意情報は不可視となり、代わっていずれのインキとも非等色として視認された第三のインキで形成された透過画像（６’）が表す第二の有意情報が視認される。この場合、アルファベットの「Ｂ」の文字は、第三のインキの透過光下の色彩である暗い色彩で、その他の周辺の領域は、第一のインキ及び第二のインキの透過光下の色彩である明るい色彩で視認される。
【００７５】
第二の実施の形態で説明したように、本発明の透過潜像印刷物（１’）は、印刷模様（３’）の表す情報が反射光下では第一の有意情報であり、透過光下では第二の有意情報であることを特徴とする。このように、それぞれの要素を画線ではなく、画素で形成しても、本発明の透過潜像印刷物（１’）を作製することができる。
【００７６】
以上のように、本発明の透過潜像印刷物の構成は様々な形態を取りうる。以下、前述の発明を実施するための形態にしたがって、具体的に作製した透過潜像印刷物の実施例について詳細に説明するが、本発明は、この実施例に限定されるものではない。
【実施例】
【００７７】
本実施例は、図１４から図１８までを用いて説明する。図１４に実施例における透過潜像印刷物（１’’）を示す。透過潜像印刷物（１’’）は、基材（２’’）の上に、緑系の複数の色彩(黄緑と緑)を有した印刷模様（３’’）が形成されて成る。基材（２’’）には、一般的な白色上質紙（しらおい  日本製紙製）を使用した。
【００７８】
図１５に印刷模様（３’’）の構成の概要を示す。印刷模様（３’’）は、可視画像（４’’）と、それと対を成す反転可視画像（５’’）を有する。可視画像（４’’）と反転可視画像（５’’）は同じ第一の有意情報を表すが、情報の濃淡が反転した関係にある。本実施例における第一の有意情報とは鳥獣戯画における「勝負の最中の相撲の様子」である。また、反転可視画像（５’’）は、第二の有意情報を表す透過画像（６’’）とカモフラージュ画像（７’’）を有する。本実施例における第二の有意情報とは鳥獣戯画における「勝負がついた相撲の様子」である。カモフラージュ画像（７’’）は、可視カモフラージュ画像（７−１’’）及び透過カモフラージュ画像（７−２’’）を有する。なお、可視画像（４’’）は明るい色彩の第一のインキで形成され、反転可視画像（５’’）は暗い色彩の第二のインキ及び第三のインキで形成されることから、原画の濃淡のままの可視画像（４’’）を構成してしまうと、印刷模様（３’’）に出現する第一の有意情報の濃淡は、実際の原画の濃淡と反転してしまう。そのため、あらかじめ原画の濃淡を反転させた画像を可視画像（４’’）とし、反転可視画像（５’’）には原画と同じ濃淡を有した画像を用いている。
【００７９】
図１６に可視画像（４’’）と反転画視画像（５’’）の一部の拡大図を示す。可視画像（４’’）は、第一のインキから成る画線幅０．２ｍｍの情報要素（４Ａ’’）を、第一の方向(図中Ｓ１方向)に０．６ｍｍのピッチで連続して配置して構成した。また、一方の反転可視画像（５）は、第二のインキ及び第三のインキから成る画線幅０．５ｍｍの反転可視画像要素（５Ａ）を、第一の方向(図中Ｓ１方向)に０．６ｍｍピッチ（Ｐ１）で連続して配置して構成した。
【００８０】
続いて、図１７に反転可視画像（５’’）の具体的な構成について示す。反転可視画像（５’’）は、透過画像（６’’）及びカモフラージュ画像（７’’）を有する。透過画像（６’’）は、第三のインキから成る画線幅０．２ｍｍの透過画像要素（６Ａ’’）を、第一の方向（図中Ｓ１方向）に０．６ｍｍピッチで連続して配置して構成した。また、一方のカモフラージュ画像（７’’）は、第二のインキから成る画線幅０．５ｍｍのカモフラージュ要素（７Ａ’’）を、第一の方向（図中Ｓ１方向）に０．６ｍｍピッチで連続して配置して構成した。
【００８１】
最後に、図１８にカモフラージュ画像（７’’）の具体的な構成について示す。カモフラージュ画像（７’’）は、可視カモフラージュ画像（７−１’’）と透過カモフラージュ画像（７−２’’）から成る。可視カモフラージュ画像（７−１’’）は、第二のインキから成る画線幅０．２５ｍｍの可視カモフラージュ画像要素（７Ａ−１’’）を、第一の方向（図中Ｓ１方向）に０．６ｍｍピッチで連続して配置して構成した。一方の透過カモフラージュ画像（７−２’’）は、第二のインキから成る画線幅０．２５ｍｍの透過カモフラージュ画像要素（７Ａ−２’’）を、第一の方向（図中Ｓ１方向）に０．６ｍｍピッチ（Ｐ１）で連続して配置して構成した。可視カモフラージュ画像（７−１’’）の中には、それぞれ対を成す情報要素（４Ａ’’）と同じ大きさの空白を有し、印刷模様（３’’）を構成するにあたっては、それぞれの情報要素（４Ａ’’）が対を成す可視カモフラージュ画像要素（７Ａ−１’’）の空白の中に嵌め合わさる構造を有する。また、一方の透過カモフラージュ画像要素（７Ａ−２’’）の中には、それぞれ対を成す透過画像要素（６Ａ’’）と同じ大きさの空白を有し、印刷模様（３’’）を構成するにあたっては、それぞれの透過画像要素（６Ａ’’）が対を成す透過カモフラージュ画像要素（７Ａ−２’’）の空白の中に嵌め合わさる構造を有する。
【００８２】
これらの画像のうち、可視画像（４’’）は、第一のインキ（ベストワン  Ｐａｎｔｏｎ３８０  淡淡緑  Ｔ＆Ｋ  ＴＯＫＡ製）で形成し、カモフラージュ画像（７’’）は、表１に示す有色浸透インキである第二のインキで形成し、透過画像（６’’）は、表２に示す第三のインキで形成した。それぞれのインキは緑色の色相を有し、第一のインキは明るい黄緑であり、第二のインキ及び第三のインキはやや暗い緑色である。また、第一のインキ及び第三のインキはチタン白を４０％以上含んで光遮断性に優れたインキとした。第二のインキと第三のインキは、それぞれ微量の着色顔料を添加して反射光下で等色に仕上げた。それぞれのインキをオフセット印刷方式で印刷して本発明の透過潜像印刷物（１’’）を得た。
【００８３】
【表１】
2015112797.tif 000003
【００８４】
【表２】
2015112797.tif 000004
【００８５】
この例において、反射光下において、第一のインキは、他の二つのインキより明度及び彩度が大きく、また色差ΔＥも２０以上離れていた。また、第二のインキと第三のインキのΔＥは約３であり、ほぼ等色であった。また、第一のインキと第三のインキの光透過性に対して、第二のインキの光透過性はより高かった。
【００８６】
以上の構成で作製した透過潜像印刷物（１’’）の効果について、図１９を用いて以下に説明する。図１９（ａ）に示すように、透過潜像印刷物（１’’）を反射光下で観察した場合、観察者（９’’）には、可視画像（４’’）が黄緑色で、反転可視画像（５’’）が緑色で認識され、色彩の差で表現された第一の有意情報である鳥獣戯画における「勝負の最中の相撲の様子」の画像がやや暗い緑色で、その他の領域は黄緑と緑色の中間の色彩で視認された。このとき、潜像画像（６’’）は不可視であった。
【００８７】
また、図１９（ｂ）に示すように、透過潜像印刷物（１’’）を透過光下で観察した場合、観察者（９’’）には、可視画像（４’’）とカモフラージュ画像（７’’）の色彩が同じ緑色に見え、その結果第三のインキで表現された潜像画像（６’’）が現す第二の有意情報である鳥獣戯画における「勝負がついた相撲の様子」が暗い深緑色で、その他の領域が緑色で視認された。
【００８８】
以上のように、本発明の透過潜像印刷物（１’’）において、印刷模様（３’’）の中の情報が反射光下では第一の有意情報に、透過光下では第二の有意情報に変化する効果を有することが確認できた。
【符号の説明】
【００８９】
１、１’、１’’      透過潜像印刷物
２、２’、２’’      基材
３、３’、３’’      印刷模様
４、４’、４’’      可視画像
４Ａ、４A’、４Ａ’’    情報要素
５、５’、５’’      反転可視画像
５A、５A’、５A’’  反転可視画像要素
６、６’、６’’      透過画像
６Ａ、６Ａ’、６Ａ’’      透過画像要素
７、７’、７’’        カモフラージュ画像
７Ａ、７Ａ’、７Ａ’’  カモフラージュ要素
７−１、７−１’、７−１      可視カモフラージュ画像
７Ａ−１、７Ａ−１’、７Ａ−１      可視カモフラージュ画像要素
７−２、７−２’、７−２      透過カモフラージュ画像
７Ａ−２、７Ａ−２’、７Ａ−２      透過カモフラージュ画像要素
８、８’、８’’        光源
９、９’、９’’        観察者の視点
【図１】
2015112797.tif 000005
【図２】
2015112797.tif 000006
【図３】
2015112797.tif 000007
【図４】
2015112797.tif 000008
【図５】
2015112797.tif 000009
【図６】
2015112797.tif 000010
【図７】
2015112797.tif 000011
【図８】
2015112797.tif 000012
【図９】
2015112797.tif 000013
【図１０】
2015112797.tif 000014
【図１１】
2015112797.tif 000015
【図１２】
2015112797.tif 000016
【図１３】
2015112797.tif 000017
【図１４】
2015112797.tif 000018
【図１５】
2015112797.tif 000019
【図１６】
2015112797.tif 000020
【図１７】
2015112797.tif 000021
【図１８】
2015112797.tif 000022
【図１９】
2015112797.tif 000023